(57)【特許請求の範囲】
【請求項１】
回動する画像担持体と、上記画像担持体の表層上に第１低付着力作用を持つ剤を塗布する第１ブラシローラと、上記第１低付着力作用を持つ剤を表層に塗布された上記画像担持体にトナー画像を形成する現像手段と、上記画像担持体と同期して連動する中間転写体と、上記中間転写体の表層上の第２低付着力作用を持つ剤の塗布層厚さが上記画像担持体の表層上の第１低付着力作用を持つ剤の塗布層厚さよりも薄くなるように塗布する第２ブラシローラと、上記第２低付着力作用を持つ剤を表層に塗布された上記中間転写体上に上記画像担持体上のトナー画像を転写する第１転写手段と、上記中間転写体に転写されたトナー画像を被転写体に転写する第２転写手段と、からなる画像形成装置において、
第１ブラシローラ及び第２ブラシローラは、夫々複数本の糸からなり、
第１ブラシローラの糸の硬さは、第２剤塗布手段の第２ブラシローラの糸よりも硬いことを特徴とする画像形成装置。
【請求項２】
請求項１記載の画像形成装置において、第１ブラシローラの糸の硬さ（ｖ１）は、ｖ１≡Ｅ１＊Ｉ１、第２ブラシローラの糸の硬さ（ｖ２）は、ｖ２≡Ｅ２＊Ｉ２であり、上記第１ブラシローラの糸の弾性係数はＥ１、断面から算出される慣性２次モーメントはＩ１で、上記第２ブラシローラの糸の弾性係数はＥ２、断面から算出される慣性２次モーメントはＩ２で、第１ブラシローラの糸の硬さ（ｖ１）＞第２ブラシローラの糸の硬さ（ｖ２）、であることを特徴とする画像形成装置。
【請求項３】
請求項１、又は２記載の画像形成装置において、第１低付着力作用を持つ剤は、潤滑添加剤を溶解して成形された棒形状であることを特徴とする画像形成装置。
【請求項４】
請求項１又は２記載の画像形成装置において、第２低付着力作用を持つ剤は、潤滑添加剤を溶解して成形された棒形状であることを特徴とする画像形成装置。
【発明の詳細な説明】
【０００１】
【発明の属する技術分野】
本発明は、画像担持体上に順次形成される複数のトナー画像を中間転写体に順次重ね合わせて一次転写したトナー画像を一括して被転写体に２次転写して画像を形成する画像形成装置に関し、特に、複写機、プリンター、ファクシミリ装置、あるいはこれらの複合機等の電子写真方式の画像形成装置に関する。
【０００２】
【従来の技術】
従来、電子写真複写方式の画像形成装置において、画像担持体に順次形成した複数の可視のカラー現像画像を、無端移動する中間転写体上に順次重ね合わせて一次転写し、この中間転写体の一次転写画像を被転写体の転写紙に一括して二次転写する中間転写方式の画像形成装置が公知である。
このような、中間転写方式を用いた画像形成装置は、近年、小型化や最終的にトナー画像が転写される被転写体の転写紙の種類の制約が比較的に少なく有利であるため、特にフルカラー画像を形成するカラー画像形成装置として使用されている。
このようなカラー画像形成装置で、色現像画像を構成するトナー像の一次転写時及び二次転写時における局部的に転写抜けに起因して、最終的な画像媒体である被転写体の転写紙の画像中に、局部的には全くトナーが転写されない、いわゆる虫喰い状部分を生じることがある。
また、ライン画像の場合は、ラインが途切れるように転写抜けを生じる。このような、異常画像は、４色フルカラー画像を形成する場合に発生し易い。これは、トナー層が厚くなることに加え、一次転写を最大４回繰り返すので、画像担持体表面とトナーとの間、中間転写体表面とトナーとの間にて非クーロンである機械的な付着力が強力に発生することによる。
また、画像形成プロセスを繰り返し実行する過程において、中間転写体の表面にトナーが付着するフイルミング現象を起こし、中間転写体の表面とトナーとの付着力が増加することもその原因となる。そこで、このような虫喰い状画像の発生を避けるために、画像担持体及び中間転写体の表面に潤滑剤を塗布してトナーの付着力を低減したり、トナー自体の付着力を外添剤などにより低減する等の技術を適用した装置は、市場に発売されて公知である。
【０００３】
画像担持体のトナー付着力と、中間転写体のトナー付着力の相対的なバランスを調整することにより、転写性向上、虫喰い状等の異常画像の発生を防止することも公知である（特開平８−２１１７５５号の公報を参照）。
即ち、通常、画像担持体のトナー付着力が中間転写体のトナー付着力を上回るときには、画像担持体から中間転写体上へトナーを転写し難い、又は、中間転写体上に転写されたトナーが画像担持体上に逆転写されるといった現象が生じ、虫喰い状等の異常画像が発生し易い。このような現象を考慮して、画像担持体のトナー付着力が中間転写体のトナー付着力よりも小さくなるようにしている。
具体的には、画像担持体と中間転写体の各表面張力又は表面エネルギーを、それぞれに対するトナーの付着し易さを表す物理量として捉え、画像担持体の表面張力又は表面エネルギー≦中間転写体の表面力又は表面エネルギー、なる条件を満足させるとことにより、転写性を向上させ、虫喰い状等の異常画像の発生を防止するようにしている。
又、画像形成工程において除々に大きくなっていくトナーの付着力を低減するために、実使用時に、画像担持体及び中間転写体に潤滑剤を塗布し、その単位時間当たりの塗布量を調整するようになっている。
以上のように、虫喰い状等の異常画像の発生を防止する対策としては、画像担持体や中間転写体へのトナーの付着力を制御できればよく、その制御方法としては、画像担持体や中間転写体へ潤滑剤を塗布することが有効である。
潤滑剤を塗布すると方法としては、例えば、所定の画像形成動作回数毎に潤滑剤を間欠的に塗布することは公知である（特開平８−２１１７５５号等の公報を参照）。
【０００４】
然し、このような方法では、潤滑剤の塗布直前で最も潤滑剤が足りなくなった時に、虫喰い状画像が発生してしまったり、多量の画像を形成するときには、間欠して空回しが必要となり、スループットが低下して、画像形成の動作時間が長時間を費やさなければならない不具合が生じていた、
また、潤滑剤の塗布量についても、例えば、画像形成する転写紙の所定の枚数毎の消費量といった平均消費量から設定されるため、潤滑剤の塗布量を設定するために長時間を費やし、最適条件に調整するのは困難であった。
固形潤滑剤を、重り、圧縮スプリングや板ばねの弾性圧力を使用して、塗布ローラに対する当接圧を設定し維持して、塗布することも公知である（特開平９−２５１２６３号等の公報を参照）。
更に、固形潤滑剤を、画像担持体表面及び中間転写体表面が所定各静摩擦係数になるように、画像担持体表面及び中間転写体表面に塗布することも、同一出願人の発明者からも提案されている。
然し、従来のこのような画像形成装置においては、虫喰い状等の異常画像の発生を防止するための、画像担持体と中間転写体への固形潤滑剤の塗布には、間欠塗布の接離装置等の複雑な装置が必要で、潤滑剤の塗布量を設定するために長時間を費やし、最適条件に調整するのは困難であり、それらのためにコスト高になり、画像担持体と中間転写体へ固形潤滑剤の塗布を適切に行うことが困難であった。
従って、画像担持体と中間転写体へ固形潤滑剤の塗布を適切に行うことが困難で虫喰い状等の異常画像が発生すると言う不具合が生じていた。
【０００５】
【発明が解決しようとする課題】
前述した従来のかかる画像形成装置は、虫喰い状等の異常画像の発生を防止するために、画像担持体と中間転写体に対して夫々潤滑剤の低付着力作用を持つ剤を塗布するには、間欠塗布の接離装置等の複雑な装置が必要で、潤滑剤の低付着力作用を持つ剤の塗布量を適切に設定するために長時間を費やし、しかも最適条件に調整するのは困難であり、それらのためにコスト高になり、画像担持体と中間転写体へ潤滑剤の低付着力作用を持つ剤の塗布を適切に行うことが困難で虫喰い状等の異常画像が発生すると言う問題が発生していた。
そこで本発明の課題は、このような問題点を解決するものである。即ち、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することを目的とする。
【０００６】
【課題を解決するための手段】
上記目的を達成するために、請求項１の本発明は、回動する画像担持体と、上記画像担持体の表層上に第１低付着力作用を持つ剤を塗布する第１ブラシローラと、上記第１低付着力作用を持つ剤を表層に塗布された上記画像担持体にトナー画像を形成する現像手段と、上記画像担持体と同期して連動する中間転写体と、上記中間転写体の表層上の第２低付着力作用を持つ剤の塗布層厚さが上記画像担持体の表層上の第１低付着力作用を持つ剤の塗布層厚さよりも薄くなるように塗布する第２ブラシローラと、上記第２低付着力作用を持つ剤を表層に塗布された上記中間転写体上に上記画像担持体上のトナー画像を転写する第１転写手段と、上記中間転写体に転写されたトナー画像を被転写体に転写する第２転写手段と、からなる画像形成装置において、第１ブラシローラ及び第２ブラシローラは、夫々複数本の糸からなり、第１ブラシローラの糸の硬さは、第２剤塗布手段の第２ブラシローラの糸よりも硬い画像形成装置であることを最も主要な特徴とする。
請求項２の本発明は、請求項１記載の画像形成装置において、第１ブラシローラの糸の硬さ（ｖ１）は、ｖ１≡Ｅ１＊Ｉ１、第２ブラシローラの糸の硬さ（ｖ２）は、ｖ２≡Ｅ２＊Ｉ２であり、上記第１ブラシローラの糸の弾性係数はＥ１、断面から算出される慣性２次モーメントはＩ１で、上記第２ブラシローラの糸の弾性係数はＥ２、断面から算出される慣性２次モーメントはＩ２で、第１ブラシローラの糸の硬さ（ｖ１）＞第２ブラシローラの糸の硬さ（ｖ２）、であることを主要な特徴とする。
請求項３の本発明は、請求項１、又は２記載の画像形成装置において、第１低付着力作用を持つ剤は、潤滑添加剤を溶解して成形された棒形状であることを主要な特徴とする。
請求項４の本発明は、請求項１又は２記載の画像形成装置において、第２低付着力作用を持つ剤は、潤滑添加剤を溶解して成形された棒形状であることを主要な特徴とする。
【０００８】
【作用】
上記のように構成された画像形成装置は、請求項１においては、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようにする。
また、第１低付着力作用を持つ剤が第１剤塗布手段の第１ブラシローラにより表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体の表層上に第１ブラシローラにより第１低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようにする。
【０００９】
また、第１低付着力作用を持つ剤が第１剤塗布手段の第１ブラシローラの複数本の糸により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体の表層上に第１ブラシローラの複数本の糸により第１低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようにする。
また、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラにより塗布し、第２剤塗布手段の第２ブラシローラにより第２低付着力作用を持つ剤を表層に塗布された中間転写体上に画像担持体上のトナー画像を第１転写手段で転写した後に中間転写体に転写されたトナー画像を第２転写手段で被転写体に転写するようにして、中間転写体の表層上に第２ブラシローラにより第２低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようにする。
【００１０】
また、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラの複数本の糸により塗布し、第２剤塗布手段の第２ブラシローラの複数本の糸により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、中間転写体の表層上に第２ブラシローラの複数本の糸により第２低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようにする。
【００１１】
また、第１低付着力作用を持つ剤が第１剤塗布手段の第１ブラシローラの糸により表層上に塗布された画像担持体上に現像手段でトナー画像を形成し、第１剤塗布手段の第１ブラシローラの糸の硬さを第２剤塗布手段の第２ブラシローラの糸の硬さよりも硬くして、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラの糸により塗布し、第２剤塗布手段の第２ブラシローラの糸により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようにする。
請求項２においては、第１低付着力作用を持つ剤が第１剤塗布手段により表層上に塗布された画像担持体上に現像手段でトナー画像を形成し、第１剤塗布手段の第１ブラシローラの糸の曲げに対する反力の硬さ（ｖ１≡Ｅ１＊Ｉ１、第１剤塗布手段の第１ブラシローラの糸の弾性係数はＥ１、断面から算出される慣性２次モーメントをＩ１）を第２剤塗布手段の第２ブラシローラの糸の曲げに対する反力の硬さ（ｖ２≡Ｅ２＊Ｉ２、第２剤塗布手段のブラシローラの糸の弾性係数はＥ２、断面から算出される慣性２次モーメントをＩ２）よりも硬くして、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようにする。
【００１２】
請求項３においては、潤滑添加剤を溶解して成形された棒形状である第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようにする。
請求項４においては、第１低付着力作用を持つ剤が第１剤塗布手段により表層上に塗布された画像担持体上に現像手段でトナー画像を形成し、画像担持体と同期して連動する中間転写体の表層上の潤滑添加剤を溶解して成形された棒形状である第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにして、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようにする。
【００１３】
【発明の実施の形態】
次に、本発明の実施の形態を図面を参照して詳細に説明する。
図１は本発明を適用した画像形成装置の一例の概略構成図であり、画像担持体１は、ベルト状画像担持体たるベルト状感光体であり、上記画像担持体１のベルト状感光体は、回動ローラ１ａ、回動ローラ１ｂ間に架設され、上記回動ローラ１ａの回転駆動により図示の矢印Ａの時計方向に搬送され、上記画像担持体１のベルト状感光体の表層上に第１低付着力作用を持つ剤２が、上記画像担持体１のベルト状感光体の表層上の上記第１低付着力作用を持つ剤２の塗布層厚さ２ａが、第１剤塗布手段３の第１ブラシローラ３ａを形成する複数本の糸３ａ１  により塗布される（図２を参照）。
上記画像担持体１のベルト状感光体１の外周には、ベルト状感光体１の表面を均一に帯電する帯電手段１０の帯電チャージャ、ベルト状感光体１に、図示しない原稿画像に対応してレーザ光書き込みを行う静電画像露光手段１１が配置されている。
更に、中間転写体５の中間転写ベルトは、回動ローラ５ａ、回動ローラ５ｂ間に架設され、回動ローラ５ａの回転駆動により図示の矢印Ｂの反時計方向に搬送され、上記中間転写体５の表層上に第２低付着力作用を持つ剤６の塗布層厚さ６ａが、上記画像担持体１の表層上の上記第１低付着力作用を持つ剤２の上記塗布層厚さ２ａよりも薄く（２ａ＞６ａ）なるように、第２剤塗布手段７の第２ブラシローラ７ａを形成する複数本の糸７ａ１  により塗布される（図３を参照）。
【００１４】
上記第１剤塗布手段３の上記第１ブラシローラ３ａの上記糸（植毛を含む）３ａ1の曲げに対する反力とした硬さ（ｖ１）は、上記第２剤塗布手段７の上記第２ブラシローラ７ａの上記糸（植毛を含む）７ａ1の曲げに対する反力とした硬さ（ｖ２）より硬く（ｖ１＞ｖ２）してあるから、上記糸３ａ1の上記第１低付着力作用を持つ剤２の表面に強く衝突して局所的に多量に崩し掘り起こして、ベルト状感光体１の表層上に形成される上記第１低付着力作用を持つ剤２の厚い塗布層厚さ２ａは、上記糸７ａ1の第２低付着力作用を持つ剤６の表面に弱く衝突して局所的に少量を崩し掘り起こして、中間転写体５の表層上に形成される第２低付着力作用を持つ剤６の薄い塗布層厚さ６ａよりも、厚く塗布される。具体的には、上記第１剤塗布手段３の上記第１ブラシローラ３ａの上記糸３ａ1の硬さ（ｖ１）は、ｖ１≡ｌｏｇＥ１＊Ｉ１＋１０、上記第２剤塗布手段７の上記第２ブラシローラ７ａの糸７ａ1の硬さ（ｖ２）は、ｖ２≡ｌｏｇＥ２＊Ｉ２＋１０であり、第１剤塗布手段３の第１ブラシローラ３ａの糸３ａ1の弾性係数はＥ１、断面から算出される慣性２次モーメントをＩ１で、第２剤塗布手段７の上記ブラシローラ７ａの糸７ａ1の弾性係数はＥ２、断面から算出される慣性２次モーメントをＩ２で、このような容易な方法で、第１剤塗布手段３のブラシローラ３ａの硬さ（ｖ１）＞第２剤塗布手段７の第２ブラシローラ７ａの硬さ（ｖ２）となるように設定される。従って、糸３ａ1と糸７ａ1がへたばらない限り、上記画像担持体１と上記中間転写体５への、各第１低付着力作用を持つ剤２と第２低付着力作用を持つ剤６の適切な、塗布層厚さ６ａが塗布層厚さ２ａよりも薄く（２ａ＞６ａ）なる状態が長期間安定して作用するから、簡単な装置で、容易な方法で、虫喰い状等の異常画像の発生を防止する、画像形成時間が短く低コストの画像形成装置を提供することが出来るようになっている。
【００１５】
ベルト状感光体１と中間転写体５の中間転写ベルトは、ベルト状感光体１の回動ローラ１ｂの位置で接触している。
ベルト状感光体１と中間転写ベルト５との接触部の中間転写ベルト側には、第１転写手段８の導電性を有するバイアスローラが、中間転写体５の中間転写ベルトの裏側に所定の条件で接触して、ベルト状感光体１に形成されたトナー画像が中間転写体５の中間転写ベルトに一次転写が行われるようになっている。
第２転写手段９の導電性を有するバイアスローラにより、中間転写体５の中間転写ベルトに一次転写が行われ順次重ね転写されたトナー画像は、被転写体（Ｐ）の転写紙に一括して二次転写が行われるようになっている。なお、図１の状態は前フレーム０ｂが開放した状態にあり、従って第２転写手段９は中間転写ベルト５から離間しているが、稼働時には前フレームは閉止しているので、第２転写手段９は中間転写ベルト５に接している。
ここで、本発明の実施例である画像形成装置のカラー画像の形成動作について説明する。
ベルト状感光体１は、上記帯電手段１０の帯電チャージャにより、表面を均一に帯電された後に、上記静電画像露光手段１１により図示しない原稿画像情報に対応してレーザ光により走査露光されて、表面に静電潜像が形成される。ここで、走査露光する原稿画像情報は、所望のフルカラー画像イエロー、シアン、マゼンタ、及びブラックの色情報に分解した単色の原稿画像情報であり、この情報により、図示しない半導体レーザーで発生したレーザビーム（Ｌ）は、上記静電画像露光手段１１により走査、及び光路調整されるようになっている。ここで形成された静電潜像は、現像手段４の回転型現像装置により、各々所定のイエロー、シアン、マゼンタ、及びブラックで単色現像され、ベルト状感光体１上に各々の色画像が順次形成される。
図示の矢印Ａ方向に回転するベルト状感光体１上に形成された各単色画像は、ベルト状感光体１と同期して図示の矢印Ｂ方向に回動する中間転写体５の中間転写ベルト上に、イエロー、シアン、マゼンタ、及びブラックの単色毎に、第１転写手段８の導電性を有するバイアスローラに印加された転写バイアスにより順次重ね転写される。
【００１６】
中間転写体５の中間転写ベルト上に重ね合わされたイエロー、シアン、マゼンタ、及びブラックのトナー画像は、給紙手段１２の給紙カセットから給紙ローラ１３、搬送ローラ対１４の搬送ローラ１４ａと搬送ローラ１４ｂ、又は、被転写体（Ｐ）の転写紙が９０（ｋｇ紙）以上の厚紙は、手差し給紙手段１２ａから図示の矢印Ｃ方向から給紙されて、レジストローラ対１５のレジストローラ１５ａとレジストローラ１５ｂを経て第２転写手段９に搬送された被転写体（Ｐ）の転写紙に、第２転写手段９の導電性を有するバイアスローラにより、一括して二次転写が行われる。
第２転写手段９の導電性を有するバイアスローラにより、一括した二次転写が終了した後に、被転写体（Ｐ）の転写紙は、定着手段１６により定着されて、フルカラー画像が完成し、排紙ローラ対１７の排紙ローラ１７ａと排紙ローラ１７ｂを経て排紙スタック１８に形成画像が排出されて収納されるようになっている。
クリーニング手段１９は、ベルト状感光体１に常時当接して、ベルト状感光体１上の残留トナーをクリーニングするクリーニングブレード１９ａ、廃棄トナー回収容器１９ｂを含むクリーニング装置である。
中間転写体クリーニング手段２０は、中間転写体５の中間転写ベルトのクリーニング装置で、クリーニングブレード２０ａは、画像形成動作中には、中間転写体５の中間転写ベルト表面から離間した位置に保持され、形成画像が被転写体（Ｐ）の転写紙上に転写された後に、中間転写体５の中間転写ベルト表面に当接されるようになっている。
中間転写体５の中間転写ベルト上より上記クリーニングブレード２０ａによって掻き取られた廃棄トナーは、オーガ２０ｂにより、図面手前側に搬送され、更に、プロセスカートリッジ２１の手前側面に設けられた、図示しない搬送部により上記破棄トナー回収容器１９ｂに搬送される。所定量以上の廃棄トナーが上記破棄トナー回収容器１９ｂ内に収容された時点で上記プロセスカートリッジ２１を交換することにより、上記プロセスカートリッジ２１の長寿命化が図れる。
ベルト状感光体１、帯電手段１１の帯電チャージャ、中間転写体５の中間転写ベルト、クリーニング手段１９、中間転写体クリーニング手段２０は、上記プロセスカートリッジ２１として、一体的にユニット化に構成され、破棄トナー回収容器１９ｂは、プロセスカートリッジ２１に対して交換可能に組み込まれるようになっている。上記プロセスカートリッジ２１の上記レジストローラ対１５側のケース外装部分は、被転写体（Ｐ）の転写紙の搬送案内としての機能を備えている。
【００１７】
本体装置０は、本体フレーム０ａの不動部筐体と、被転写体（Ｐ）の転写紙の搬送経路が開放な前部筐体たる前フレーム０ｂによって構成され、上記本体フレーム０ａの下部には、上記給紙手段１２が配置され、上記本体装置０内部には、現像手段４、プロセスカートリッジ２１を交換可能に配置し、更に、その上方に、定着手段１６を配置し、本体装置０の上部には、排紙スタック１８が配置されている。
上記前フレーム０ｂは、上記本体フレーム０ａに設けられた回転支持軸０ｃを中心に開閉回動可能に支持され、通常は図示の矢印Ｄ方向に回動して上記本体フレーム０ａに対し、閉じた状態で保持されている。搬送経路内に被転写体（Ｐ）の転写紙の搬送不良が発生した場合には、図示しない上記前フレーム０ｂのロック機構を解除し、図示のように図示の矢印Ｄ方向とは逆の方向に上記前フレーム０ｂを開放出来るようになっている。
上記前フレーム０ｂには、被転写体（Ｐ）の転写紙の搬送経路の一部を構成する、搬送ローラ対１４の搬送ローラ１４ａと搬送ローラ１４ｂ、又は、手差し給紙手段１２ａ、レジストローラ対１５のレジストローラ１５ａとレジストローラ１５ｂ、第２転写手段９の導電性を有するバイアスローラ等が保持されており、前フレーム０ｂを図示の矢印Ｄ方向の逆方向に開放することにより、被転写体（Ｐ）の転写紙の搬送経路が露出し、容易に被転写体（Ｐ）の転写紙の搬送不良処理が行えるようになる。
この際に、他の画像形成ユニットは不動であり、トナーの飛散や漏洩等による不具合が発生しないようになっている。
【００１８】
図４は第１剤塗布手段及びその周辺の構成図であり、第１剤塗布手段３は、クリーニング手段１９内に設けられ、第１低付着力作用を持つ剤２をベルト状感光体１に塗布する糸（植毛を含む）３ａ１  を有する第１ブラシローラ３ａと、第１低付着力作用を持つ剤２を保持して回動自在な保持部材３ｂと、第１低付着力作用を持つ剤２を上記ブラシローラ３ａの糸３ａ１  の先端部に当接するように上記保持部材３ｂを図示の矢印Ｅ方向に付勢する付勢部材３ｃのスプリング等を備えている。
第１剤塗布手段３の上記ブラシローラ３ａの糸３ａ１  の先端部が、図示の矢印Ａ方向に回動するベルト状感光体１に当接して、図示しない駆動手段により図示の矢印Ｆ方向に回転する。
この時、回動自在な上記保持部材３ｂが、上記付勢部材３ｃのスプリングで図示の矢印Ｅ方向へ付勢されることにより、第１低付着力作用を持つ剤２にブラシローラ３ａの糸３ａ１  の先端部が当接して、第１低付着力作用を持つ剤２の一部が、上記ブラシローラ３ａの糸３ａ１  の先端部の強い衝突によって多量に堀り起こされて削られ、上記ブラシローラ３ａの糸３ａ１  の先端部に多量に付着した第１低付着力作用を持つ剤２がベルト状感光体１の表面に多量に付着して、図示しない塗布層厚さ２ａ（２ａ＞６ａ）が形成されるようになっている。
第１低付着力作用を持つ剤２は、ステアリン酸亜鉛を主成分とする潤滑油添加剤を溶解した後に、棒状に冷却固化させたものである。第１固形潤滑剤２としては、ステアリン酸亜鉛の他にも、ステアリン酸バリウム、ステアリン酸鉄、ステアリン酸ニッケル、ステアリン酸コバルト、ステアリン酸銅、ステアリン酸ストロンチュウム、ステアリン酸カルシウム等のステアリン酸基を持つものを使用することが出来る。
また、同じ脂肪酸基であるオレイン酸亜鉛、オレイン酸バリウム、オレイン酸鉛、以下、ステアリン酸と同様や、パルチミン酸亜鉛、パルチミン酸バリウム、パルチミン酸鉛、以下、ステアリン酸と同様を使用して良い。
他にも、脂肪酸基として、カプリル酸、リノレン酸、コリノレン酸なども使用出来る。更に、カンデリラワックス、カンルナウバワックス、ライスワックス、木ろう、おおば油、みつろう、ラノリンなどのワックスも使用出来る。
これらは有機系の固形潤滑剤であり、トナーとの相性が良いため使い易い。また、テフロン系や無機固形潤滑剤も、トナーによっては使用することが可能である。
【００１９】
図５と図６は第２剤塗布手段の構成図であり、第２剤塗布手段７は、中間転写体クリーニング手段２０内に設けられ、第２低付着力作用を持つ剤６を中間転写体５の中間転写ベルトに塗布する糸（植毛を含む）７ａ１  を有する上記ブラシローラ７ａ等を備えている。
第２剤塗布手段７の上記ブラシローラ７ａの糸７ａ１  の先端部が、中間転写体５の中間転写ベルトの図示の矢印Ｂ方向の回転により当接して図示の矢印Ｇ方向に従動回転する。
この時、第２低付着力作用を持つ剤６が自重で上記ブラシローラ７ａの糸７ａ１  の先端部に当接して、第２低付着力作用を持つ剤６の一部が、上記ブラシローラ７ａの糸７ａ１  の先端部が弱く衝突して少量が堀り起こされ削られて、上記ブラシローラ７ａの糸７ａ１  の先端部に少量が付着した第２低付着力作用を持つ剤６が中間転写体５の中間転写ベルトの表面に少量が付着して、図示しない塗布層厚さ６ａ（２ａ＞６ａ）が形成されるようになっている。
第２低付着力作用を持つ剤６は、ステアリン酸亜鉛を主成分とする潤滑油添加剤を溶解した後に、棒状に冷却固化させたもので、第１低付着力作用を持つ剤２と同様のものが使用されるが、その説明が重複するので以下は省略する。
【００２０】
【発明の効果】
本発明は、以上説明したように構成されているので、請求項１の発明によれば、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようになった。つまり、像担持体と中間転写体に対する潤滑剤の塗布量を異ならせることにより、夫々に対するトナーの付着力を適正に調整するようにした点が特徴的である。
また、第１低付着力作用を持つ剤が第１剤塗布手段の第１ブラシローラにより表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体の表層上に第１ブラシローラにより第１低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようになった。つまり、ブラシローラにより固形潤滑剤を適量ずつ削り取ることにより像担持体に適量塗布するようにしたので、像担持体上のトナー付着性を適切に設定できる。また、ブラシローラであることにより、構成が簡単であり、塗布量の制御も容易である。
【００２１】
また、第１低付着力作用を持つ剤が第１剤塗布手段の第１ブラシローラの複数本の糸により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体の表層上に第１ブラシローラの複数本の糸により第１低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようになった。
また、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラにより塗布し、第２剤塗布手段の第２ブラシローラにより第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、中間転写体の表層上に第２ブラシローラにより第２低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようになった。請求項２の場合と同様の効果を奏するものである。
【００２２】
また、第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラの複数本の糸により塗布し、第２剤塗布手段の第２ブラシローラの複数本の糸により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、中間転写体の表層上に第２ブラシローラの複数本の糸により第２低付着力作用を持つ剤の塗布層厚さが正確に形成されて、画像担持体と中間転写体への低付着力作用を持つ剤の塗布が、適切に、簡単な装置で、容易に行われて、虫喰い状等の異常画像の発生を防止する画像形成時間が短く低コストの画像形成装置を提供することが出来るようになった。
また、第１低付着力作用を持つ剤が第１剤塗布手段の第１ブラシローラの糸により表層上に塗布された画像担持体上に現像手段でトナー画像を形成し、第１剤塗布手段の第１ブラシローラの糸の硬さを第２剤塗布手段の第２ブラシローラの糸の硬さよりも硬くして、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段の第２ブラシローラの糸で塗布し、第２剤塗布手段の第２ブラシローラの糸により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようになった。固形潤滑剤の削り方、削り量をブラシ糸の固さにより間接的に規定した。ブラシ糸がへたりを起こさない限り長期間安定した削り作業を期待できる。
【００２３】
請求項２の発明によれば、第１低付着力作用を持つ剤が第１剤塗布手段により表層上に塗布された画像担持体上に現像手段でトナー画像を形成し、第１剤塗布手段の第１ブラシローラの糸の曲げに対する反力の硬さ（ｖ１≡Ｅ１＊Ｉ１、第１剤塗布手段の第１ブラシローラの糸の弾性係数はＥ１、断面から算出される慣性２次モーメントをＩ１）を第２剤塗布手段の第２ブラシローラの糸の曲げに対する反力の硬さ（ｖ２≡Ｅ２＊Ｉ２、第２剤塗布手段のブラシローラの糸の弾性係数はＥ２、断面から算出される慣性２次モーメントをＩ２）よりも硬くして、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようになった。
請求項３の発明によれば、潤滑添加剤を溶解した後に成形された棒形状である第１低付着力作用を持つ剤が第１剤塗布手段により表層上に塗布された画像担持体上に現像手段でトナー画像を形成し、画像担持体と同期して連動する中間転写体の表層上の第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようになった。
請求項４の発明によれば、第１低付着力作用を持つ剤が第１剤塗布手段により表層上に塗布された画像担持体上に現像手段でトナー画像を形成し、画像担持体と同期して連動する中間転写体の表層上の潤滑添加剤を溶解した後に成形された棒形状である第２低付着力作用を持つ剤の塗布層厚さが画像担持体の表層上の第１低付着力作用を持つ剤の塗布層厚さよりも薄くなるように第２剤塗布手段で塗布し、第２剤塗布手段により第２低付着力作用を持つ剤を表層に塗布された中間転写体上に画像担持体上のトナー画像を第１転写手段で転写した後に中間転写体に転写されたトナー画像を第２転写手段で被転写体に転写するようにしたので、画像担持体と中間転写体への低付着力作用を持つ剤の塗布が、更に適切に、更に簡単な装置で、更に容易に行われて、虫喰い状等の異常画像の発生を防止する画像形成時間が短く低コストの画像形成装置を提供することが出来るようになった。
【図面の簡単な説明】
【図１】本発明の実施の形態例を示す画像形成装置を説明する説明図である。
【図２】本発明の実施の形態例を示す画像形成装置の主要部を説明する拡大説明図である。
【図３】本発明の実施の形態例を示す画像形成装置の他の主要部を説明する拡大説明図である。
【図４】本発明の実施の形態例を示す画像形成装置の他の主要部を説明する拡大説明図である。
【図５】本発明の実施の形態例を示す画像形成装置の他の主要部を説明する拡大説明図である。
【図６】本発明の実施の形態例を示す画像形成装置の他の主要部を説明する展開拡大斜視図である。
【符号の説明】
０  本体装置  ０ａ  本体フレーム、
０ｂ  前フレーム、
０ｃ  回転支持軸
１  画像担持体、１ａ  回動ローラ、
１ｂ  回動ローラ
２  第１低付着力作用を持つ剤、２ａ  塗布層厚さ
３  第１剤塗布手段、３ａ  第１ブラシローラ、３ａ１    糸、
３ｂ  保持部材、
３ｃ  付勢部材
４  現像手段
５  中間転写体、５ａ  回動ローラ、
５ｂ  回動ローラ
６  第２低付着力作用を持つ剤、６ａ  塗布層厚さ
７  第２剤塗布手段、７ａ  第２ブラシローラ、７ａ１    糸
８  第１転写手段
９  第２転写手段
１０  帯電手段
１１  静電画像露光手段
１２  給紙手段、１２ａ  手差し給紙手段
１３  給紙ローラ
１４  搬送ローラ、１４ａ  搬送ローラ、
１４ｂ  搬送ローラ
１５  レジストローラ対、１５ａ  レジストローラ、
１５ｂ  レジストローラ
１６  定着手段
１７  排紙ローラ、１７ａ  排紙ローラ、
１７ｂ  排紙ローラ
１８  排紙スタック
１９  クリーニング手段、１９ａ  クリーニングブレード、
１９ｂ  廃棄トナー回収容器
２０  中間転写体クリーニング手段、２０ａ  クリーニングブレード、
２０ｂ  オーガ
２１  プロセスカートリッジ
【図１】
0003611284.tif 000002
【図２】
0003611284.tif 000003
【図３】
0003611284.tif 000004
【図４】
0003611284.tif 000005
【図５】
0003611284.tif 000006
【図６】
0003611284.tif 000007